(57)【要約】【課題】釣り情報表示装置において、釣竿を上下に動かす動作に支障をきたすことなく、釣人が釣座を移動したときにおいても釣り情報表示装置を視認できるようにする。【解決手段】取付用具７０は、釣り情報表示装置６０を釣人の上腕部に着脱自在に取り付けるための部材であって、表示部６３が外部に露出するように釣り情報表示装置６０全体が着脱自在に装着される袋状の本体部７１と、本体部７１に設けられ釣人の上腕部に巻き付けることにより上腕部Ａに着脱自在に取付可能なベルト状の取付部７２とを有している。【選択図】図４
2011130666.tif 000002
【特許請求の範囲】
【請求項１】
釣りに関する各種の情報を表示する表示部を有する釣り情報表示装置を取り付けるための釣り情報表示装置の取付用具であって、
釣人の上腕部に配置され、前記表示部が外部に露出するように前記釣り情報表示装置全体が着脱自在に装着される袋状の本体部を備えた釣り情報表示装置の取付用具。
【請求項２】
前記本体部に設けられ、前記上腕部に巻き付けることにより前記上腕部に着脱自在に取付可能なベルト状の取付部をさらに備える、請求項１に記載の釣り情報表示装置の取付用具。
【請求項３】
前記本体部は、少なくとも前記表示部の表示面と対向する面を含む部分が透過性を有する部材により形成され、外部から前記表示部が視認可能な窓部を有している、請求項１又は２に記載の釣り情報表示装置の取付用具。
【請求項４】
前記取付部は、表面に形成された面ファスナによって前記上腕部に取り付固定する、１から３のいずれか１項に記載の釣り情報表示装置の取付用具。
【請求項５】
前記取付部は、ベルトの長さを調節可能な長さ変更手段を有している、請求項１から４のいずれか１項に記載の釣り情報表示装置の取付用具。
【請求項６】
前記本体部及び前記取付部は、撥水性を有する部材により形成されている、請求項１から５のいずれか１項に記載の釣り情報表示装置の取付用具。
【請求項７】
前記本体部は、前記釣り情報表示装置全体を装着した状態で開口部を閉塞し密封する密封手段を有している、請求項１から６のいずれか１項に記載の釣り情報表示装置の取付用具。
【請求項８】
前記密封手段は、前記開口部に形成された線ファスナである、請求項７に記載の釣り情報表示装置の取付用具。
【発明の詳細な説明】
【技術分野】
【０００１】
本発明は、取付用具、特に、釣りに関する各種の情報を表示する表示部を有する釣り情報表示装置を取り付けるための釣り情報表示装置の取付用具に関する。
【背景技術】
【０００２】
一般に、釣り用リールは、リール本体と、リール本体に装着されたスプールと、スプールを回転させるハンドルと、リール本体の上部に装着されるカウンタケースと、カウンタケースの上面に設けられ水深表示用の表示部を有する表示装置とを備えている。表示部は、たとえば液晶ディスプレイであり、棚位置や現在の仕掛けの水深等のリールに関する情報を表示することができる。
【０００３】
この種の表示装置を有する釣り用リールでは、カウンタケースの表示部にはリールに関する情報が表示される。しかし、近年、リールに関する情報が増加し、表示部に全ての情報を表示することが困難になりつつある。そこで、リールに関する情報を表示可能な表示部を有する釣り情報表示装置をリールの外部に設け、釣り船の船縁に着脱自在に装着したものが知られている（たとえば、特許文献１参照）。この釣り情報表示装置は、リールに関する情報を表示させるだけでなく、魚群探知機や全地球測位システム（ＧＰＳ）等からの釣りに関する情報を表示させることができる。また、魚群探知機等からの釣りに関する情報を表示する釣り情報表示装置には、釣り情報表示装置を釣竿に着脱自在に装着したり、釣り情報表示装置を釣人の手首に着脱自在に装着したものが知られている（たとえば、特許文献２−４参照）。
【先行技術文献】
【特許文献】
【０００４】
【特許文献１】特許第４２２１２８１号公報
【特許文献２】特開平１１−２３７０８号公報
【特許文献３】特開２００２−２７２３３８号公報
【特許文献４】特開２００５−３３１３２３号公報
【発明の概要】
【発明が解決しようとする課題】
【０００５】
従来の釣り情報表示装置は、釣り船の船縁の所定の位置に装着されているので、釣人が釣竿を持って釣座を移動したときには、釣り情報表示装置を視認できなくなることがある。また、釣竿や釣人の手首に釣り情報表示装置が装着されている場合には、釣人が釣竿を脇に抱えて釣竿を上下に動かすジギング等の魚とやりとりを行っている最中には、釣竿や釣人の手首が激しく動くために、釣竿や釣人の手首に装着された釣り情報表示装置を視認することができなくなるおそれが生じる。特に、釣人の手首に釣り情報表示装置が装着されている場合には、釣竿を上下に動かす動作の邪魔になったり、釣り情報表示装置を船縁等にぶつけてしまうおそれがある。
【０００６】
本発明の課題は、釣り情報表示装置において、釣竿を上下に動かす動作に支障をきたすことなく、釣人が釣座を移動したときにおいても釣り情報表示装置を視認できるようにすることにある。
【課題を解決するための手段】
【０００７】
発明１に係る釣り情報表示装置の取付用具は、釣りに関する各種の情報を表示する表示部を有する釣り情報表示装置を取り付けるための釣り情報表示装置の取付用具であって、釣人の上腕部に配置され、表示部が外部に露出するように釣り情報表示装置全体が着脱自在に装着される袋状の本体部を備えている。
【０００８】
この取付用具では、袋状の本体部に釣り情報表示装置全体を装着し、釣人の上腕部に本体部を配置することにより、釣人の上腕部に釣り情報表示装置を取り付けるようになっている。ここでは、釣人の上腕部に釣り情報表示装置を取り付けることができるので、釣人が釣竿を持って釣座を移動したときでも、釣人の上腕部に装着された釣り情報表示装置を視認できる。さらに、釣り情報表示装置を釣人の上腕部に装着した状態で釣竿を上下に動かす動作を行っても、釣人の上腕部の動きは釣竿や釣人の手首の動きに比して振り幅が小さくなっているので、釣竿を上下に動かす動作の邪魔になったり、釣り情報表示装置を船縁等にぶつけてしまうことが起こりにくくなる。したがって、釣竿を上下に動かす動作に支障をきたすことなく、釣人が釣座を移動したときにおいても釣り情報表示装置を視認できる。
【０００９】
発明２に係る取付用具は、発明１の取付用具において、本体部に設けられ、上腕部に巻き付けることにより上腕部に着脱自在に取付可能なベルト状の取付部をさらに備える。この場合、ベルト状の取付部により釣人の上腕部に釣り情報表示装置を着脱自在に取り付けるようになっているので、釣り情報表示装置を使用しないときは、取付用具ごと釣人の上腕部から容易に取り外すことができる。
【００１０】
発明３に係る取付用具は、発明１又は２の取付用具において、本体部は、少なくとも表示部の表示面と対向する面を含む部分が透過性を有する部材により形成され、外部から表示部が視認可能な窓部を有している。この場合、たとえば透過性を有する透明なシートからなる窓部を設けることによって、釣り情報表示装置全体を袋状の本体部に入れた状態で外部から表示部を視認することができるので、釣り情報表示装置全体を保護できる。
【００１１】
発明４に係る取付用具は、発明１から３のいずれかの取付用具において、取付部は、表面に形成された面ファスナによって上腕部に取り付固定する。この場合、面ファスナによって、釣り情報表示装置の上腕部への脱着が容易になる。
【００１２】
発明５に係る取付用具は、発明１から４のいずれかの取付用具において、取付部は、ベルトの長さを調節可能な長さ変更手段を有している。この場合、ベルトの長さを調節可能な長さ変更手段により、釣人によって上腕部の太さが異なっていても、ベルトの長さを適切な長さに変更できる。
【００１３】
発明６に係る取付用具は、発明１から５のいずれかの取付用具において、本体部及び取付部は、撥水性を有する部材により形成されている。この場合、撥水加工が施された生地によって本体部及び取付部が形成されているので、本体部及び取付部に海水等が付着しにくくなり、本体部及び取付部を傷めにくくなる。
【００１４】
発明７に係る取付用具は、発明１から６のいずれかの取付用具において、本体部は、釣り情報表示装置全体を装着した状態で開口部を閉塞し密封する密封手段を有している。この場合、防水構造を備えていない釣り情報表示装置を装着したときでも、開口部を閉塞し密封する密封手段によって、開口部内部の釣り情報表示装置が浸水しにくくなる。
【００１５】
発明８に係る取付用具は、発明７の取付用具において、密封手段は、開口部に形成された線ファスナである。この場合、たとえばスライドファスナ等の線ファスナを設けることによって、簡素な構成で密封手段を形成できる。
【発明の効果】
【００１６】
本発明によれば、釣り情報表示装置の取付用具において、釣人の上腕部に配置され、表示部が外部に露出するように釣り情報表示装置全体が着脱自在に装着される袋状の本体部を有しているので、釣竿を上下に動かす動作に支障をきたすことなく、釣人が釣座を移動したときにおいても釣り情報表示装置を視認できる。
【図面の簡単な説明】
【００１７】
【図１】本発明の一実施形態による釣り情報表示装置が接続される電動リールの正面図。
【図２】釣り情報表示装置と電動リール及び魚群探知機との接続を示すブロック図。
【図３】前記釣り情報表示装置の正面図。
【図４】前記釣り情報表示装置を取付用具に入れたときの斜視図。
【図５】前記釣り情報表示装置を釣人の上腕部に装着したときの模式図。
【発明を実施するための形態】
【００１８】
本発明の一実施形態が採用された釣り情報表示装置６０は、図２及び図３に示すように、外部の電動リール１００（図１及び図２参照）や魚群探知機９０（図２参照）から送信されたリールに関する各種の情報を表示するための比較的小型の表示装置である。
【００１９】
電動リール１００は、図１及び図２に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００２０】
リール本体１は、図１に示すように、左右１対の第１側板７ａ及び第２側板７ｂとそれらを連結する複数の連結部材８とからなるフレーム７と、フレーム７の左右を覆う左右の第１側カバー９ａ及び第２側カバー９ｂとを有している。ハンドル２側（図１の右側）の第２側カバー９ｂには、ハンドル２の回転軸が回転自在に支持されている。
【００２１】
リール本体１の内部には、図１に示すように、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側の側面には、クラッチレバー１１と、速度変更レバー１３とが配置されている。クラッチレバー１１は、第２側カバー９ｂのスプール１０の回転軸の後上方に設けられ、ハンドル２と、モータ１２及びスプール１０との駆動伝達をオン、オフするレバー部材である。速度変更レバー１３は、第２側カバー９ｂのスプール１０の回転軸の前上方に設けられ、モータ１２の回転をオン、オフするとともに、モータ１２の回転を停止状態から最大回転状態まで揺動により指定するためのレバー部材である。
【００２２】
リール本体１の上部には、図１に示すように、カウンタケース４が固定されている。カウンタケース４の上面には、仕掛けの水深や棚位置を水面からと底からとの２つの基準で表示するための液晶ディスプレイからなる表示部５と、表示部５の周囲に配置された操作部６とを有している。
【００２３】
カウンタケース４内の上部には、図２に示すように、表示部５と、表示制御及びモータ御を行う制御部３０とが配置されている。カウンタケース４内の下部にはモータ１２をＰＷＭ駆動するＰＷＭ駆動回路３１が配置されている。またカウンタケース４内の下部には、ブザー４０とスプールセンサ４１とが配置されている。
【００２４】
制御部３０は、カウンタケース４内に配置されたＣＰＵ、ＲＡＭ、ＲＯＭ、Ｉ／Ｏインターフェイス等を含むマイクロコンピュータを含んでいる。制御部３０は、制御プログラムに従って表示部５の表示制御やモータ駆動制御等の各種の制御動作を実行する。制御部３０には、図２に示すように、操作部６の各種のスイッチと、スプール１０の回転方向及び回転数（回転位置データ）を検出するためのスプールセンサ４１及びスプールカウンタ４２と、速度変更レバー１３とが接続されている。また、制御部３０には、ブザー４０と、ＰＷＭ駆動回路３１と、表示部５と、記憶部４３と、通信部４４と、他の入出力部とが接続されている。
【００２５】
ＰＷＭ駆動回路３１は、モータ１２を駆動するための駆動素子としてのＦＥＴを含んでいる。ＰＷＭ駆動回路３１は、制御部３０によりデューティ比が制御されてモータ１２を速度又は張力可変に駆動する。
【００２６】
スプールセンサ４１は、前後に並べて配置された２つのリードスイッチから構成されている。リードスイッチは、スプール１０に連動して回転する磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００２７】
スプールカウンタ４２は、スプールセンサ４１のオンオフ回数を計数するカウンタであり、この計数値によりスプール回転数に関する回転位置データやスプール回転速度が得られる。スプールカウンタ４２は、スプール１０が正転（糸繰り出し方向の回転）すると計数値が減少し、逆転すると増加する。
【００２８】
記憶部４３は、たとえばＥＥＰＲＯＭ等の不揮発メモリからなり、学習結果のデータや糸長算出時に使用する各種のデータ等が記憶されている。
【００２９】
通信部４４は、電動リール１００の外部に設けられた釣り情報表示装置６０の後述する通信部６５（図２参照）と各種の情報を送受信可能である。
【００３０】
釣り情報表示装置６０は、図３に示すように、本体部６４と、本体部６４に装着され各種の情報を表示可能な表示部６３と、表示部６３の下側に配置され各種の操作を行う操作部６２と、本体部６４の内部に配置され各種のデータを記憶する記憶部６６とを有している。
【００３１】
釣り情報表示装置６０の内部には、図２に示すように、表示制御等を行うＣＰＵ、ＲＡＭ、ＲＯＭ、Ｉ／Ｏインターフェイス等を含むマイクロコンピュータからなる制御部６１を有している。制御部６１には、通信部６５、操作部６２の各種キー、各種の表示を行うための表示部６３、各種のデータを記憶する記憶部６６が接続されている。記憶部６６には、たとえば複数の誘いデータ等の各種のデータが保持され、これらのデータを元に釣人が釣り情報表示装置６０の操作部６２を操作することにより、通信部６５、通信部４４、制御部３０を介してリールの制御である棚停止機能、誘い機能や自動しゃくり機能等の制御を行うことができる。
【００３２】
操作部６２は、表示部６３の表示制御等の各種の制御を行うスイッチである。操作部６２は、表示部６３の下側に４個のボタンが横方向に並べて配置されており、左側から右側に向かって、「決定」、「キャンセル（戻る）」、「上」、「下」の機能を有するスイッチである。これらの操作部６２を操作することによって、各種の設定が行われる。操作部６２は、釣り情報表示装置６０側の制御だけでなく、電動リール１００側の制御を行うことができる。たとえば操作部６２の操作により、棚停止等の制御を行ったり、モータ１２の回転制御等を行うことができる。
【００３３】
表示部６３は、ドットマトリックス方式の液晶ディスプレイであって、たとえばカラーＴＦＴ方式の液晶ディスプレイである。表示部６３は、電動リール１００の表示部５で表示可能な水深情報と、表示部５で表示可能な水深情報以外のリールに関する情報の他部分の情報との両方の情報が表示可能である。表示部６３は、水深表示モードのときは、図３に示すように、左側に配置された３桁のドット数字表示の水深表示領域と、その下方に配置されたドット数字表示の気圧表示領域と、気圧表示領域の下側に配置された仕掛回収表示領域とを有している。また、表示部６３は、メニュー表示モードのときは、図４に示すように、「ＸＸＸ（釣り情報表示装置６０の機種名）」、「カメラ」、「設定」、「ヘルプ」の４つのメニューアイコンをドット表示可能である。また、表示部６３は、情報モードのときは、ヘルプ表示や、誘いデータに関する設定や、各種の設定を行うためのオプション情報が表示可能である。このオプション情報表示画面では、水深情報以外の付加的な情報を表示したり、各種の設定を行うことができる。
【００３４】
通信部６５は、図２に示すように、電動リール１００に設けられた通信部４４及び魚群探知機９０の通信部と無線通信可能である。また、釣り情報表示装置６０と図示しない外部電源とは、鰐口式のコードにより連結され、これにより電力が供給されている。
【００３５】
本体部６４は、図３に示すように、各種の電気部品が収納される図３裏側の合成樹脂製のケース部材と、表示部６３が設けられる図３表側の合成樹脂製のケース部材とを有する縦長小型のボックス形状のケース部材である。本体部６４は、表示部６３側の表側ケースと逆側の裏側ケースとにより構成されており、内部に図示しない防水部材が介装されることによって、本体部６４の内部に浸水するのを防止できる。
【００３６】
取付用具７０は、図４及び図５に示すように、釣り情報表示装置６０を釣人Ｐの上腕部Ａ（図５では左腕の上腕部Ａ）に着脱自在に取り付けるための部材であって、表示部６３が外部に露出するように釣り情報表示装置６０全体が着脱自在に装着される袋状の本体部７１と、本体部７１に設けられ釣人Ｐの上腕部Ａ（図３参照）に巻き付けることにより上腕部Ａに着脱自在に取付可能なベルト状の取付部７２とを有している。
【００３７】
本体部７１は、図４に示すように、釣り情報表示装置６０が装着可能な袋状の部材であって、表示部６３の表示面と対向する面が透過性を有する透明なシートにより形成され外部から表示部６３が視認可能な窓部７１ｂと、窓部７１ｂの下側に横方向に向かって切り込まれて形成され釣り情報表示装置６０の上側から装着可能な開口部７１ａとを有している。窓部７１ｂは、表示部６３の表示面全体（図４では、本体部６４の表面全体）を覆うように矩形に形成された透明なシートであって、外部から表示部６３が視認可能である。開口部７１ａは、窓部７１ｂの下側に形成され、窓部７１ｂの下側部分が二重に折り重なって開口部７１ａが外部に露出しないようになっている。ここでは、窓部７１ｂの下側部分を開いて開口部７１ａを露出させた状態で開口部７１ａから釣り情報表示装置６０の上側部分から装着し、釣り情報表示装置６０全体が装着されたときに、窓部７１ｂの下側部分を折り重なるようにして開口部７１ａが外部に露出しないようにする。ここでは、図５に示すように、釣り情報表示装置６０の上側部分が、釣人Ｐの上腕部Ａの下側（下腕部側）に向くように配置されるとともに、釣り情報表示装置６０の下側部分（操作部６２配置側）が、釣人Ｐの上腕部Ａの上側（肩部側）に向くように配置される。このため、本体部７１の開口部７１ａが釣人Ｐの上腕部Ａの上側（肩部側）に向くように配置されるので、釣り情報表示装置６０が脱落しにくくなる。
【００３８】
取付部７２は、図４に示すように、本体部７１の側部両側に設けられ釣人Ｐの上腕部Ａに巻き付けるベルト部材であって、本体部７１の側部左側に連結された第１ベルト部７２ａと、本体部７１の側部右側に連結された第２ベルト部７２ｂとを有している。第１ベルト部７２ａ及び第２ベルト部７２ｂは、本体部７１の側部長さに比して短い幅広布製のベルト部材である。第１ベルト部７２ａは、第２ベルト部７２ｂに比して短く形成されている。第１ベルト部７２ａの先端部（図４左端）は、角カンからなるベルト送り部７３が離脱不能に装着されるように袋状に形成されている。第１ベルト部７２ａの先端部（図４右端）は、表面全体に面ファスナのフック面からなる係止部７４が形成され、第１ベルト部７２ａの基端部（図４左側、本体部７１側）は、表面全体に面ファスナのループ面からなる係止部７４が係止可能な被係止部７５が形成されている。係止部７４は、被係止部７５に比して長く形成されている。ここでは、本体部７１、取付部７２の第１ベルト部７２ａ及び第２ベルト部７２ｂを釣人Ｐの上腕部Ａに巻き付け、第２ベルト部７２ｂを第１ベルト部７２ａの先端部のベルト送り部７３に挿通して折り返して引っ張ることで取付部７２を締め付け、適切な位置で面ファスナの係止部７４を被係止部７５に係止して固定する。ここでは、取付部７２は、第１ベルト部７２ａ、第２ベルト部７２ｂ、ベルト送り部７３、係止部７４及び被係止部７５の構成を有していることにより、ベルトの長さを調節可能である。
【００３９】
本体部７１及び取付部７２は、撥水性を有する部材を縫製することにより一体的に形成されている。窓部７１ｂを除く本体部７１及び取付部７２は、撥水加工が施された同一種類の生地によって一体的に形成されている。本体部７１は、釣り情報表示装置６０の外形に沿った袋状の矩形部分と、矩形部分と取付部７２の第１ベルト部７２ａ及び第２ベルト部７２ｂとを滑らかに連結する湾曲部分とで構成されている。本体部７１の裏側は、釣人Ｐの上腕部Ａに巻き付け可能に湾状にカーブした形状を保持するように形成されている。
【００４０】
このような釣り情報表示装置６０を釣人Ｐの上腕部Ａに着脱自在に取り付けるための取付用具７０では、袋状の本体部７１に釣り情報表示装置６０全体を装着し、ベルト状の取付部７２を釣人Ｐの上腕部Ａに巻き付けることにより、釣人Ｐの上腕部Ａに釣り情報表示装置６０を取り付けるようになっている。具体的には、本体部７１、取付部７２の第１ベルト部７２ａ及び第２ベルト部７２ｂを釣人Ｐの上腕部Ａに巻き付け、第２ベルト部７２ｂを第１ベルト部７２ａの先端部のベルト送り部７３に挿通して折り返して引っ張ることで取付部７２を締め付け、適切な位置で面ファスナの係止部７４を被係止部７５に係止して固定するようになっている。ここでは、釣人Ｐの上腕部Ａに釣り情報表示装置６０を取り付けることができるので、釣人Ｐが釣竿を持って釣座を移動したときでも、釣人Ｐの上腕部Ａに装着された釣り情報表示装置６０を視認できる。釣り情報表示装置６０を釣人Ｐの上腕部Ａに装着した状態で釣竿を上下に動かす動作を行っても、釣人Ｐの上腕部Ａの動きは釣竿や釣人Ｐの手首の動きに比して振り幅が小さくなっているので、釣竿を上下に動かす動作の邪魔になったり、釣り情報表示装置６０を船縁等にぶつけてしまうことが起こりにくくなる。したがって、釣竿を上下に動かす動作に支障をきたすことなく、釣人Ｐが釣座を移動したときにおいても釣り情報表示装置６０を視認することができる。
【００４１】
〔他の実施形態〕
（ａ）  前記実施形態では、電動リール１００及び魚群探知機９０と無線通信可能な釣り情報表示装置６０を例にあげて説明したが、釣り情報表示装置６０はこれに限定されるものではなく、電動リール１００及び魚群探知機９０の一方のみと無線通信させるようにしてもよいし、さらにＧＰＳ等の他の機器と無線通信させるようにしてもよい。
【００４２】
（ｂ）  前記実施形態では、取付用具７０の開口部７１ａが窓部７１ｂの下側に形成されていたが、窓部７１ｂの上側に開口部７１ａを形成してもよい。また、窓部７１ｂの下側と連なるように窓部７１ｂの側部の少なくとも一方に開口部７１ａを形成してもよい。
【００４３】
（ｃ）  前記実施形態では、取付用具７０の開口部７１ａは、二重に折り重なって開口部７１ａが外部に露出しないようになっていたが、開口部７１ａにスライドファスナ等の線ファスナを設け、開口部７１ａを閉塞して密封する密封手段をさらに備える構成にしてもよい。
【００４４】
（ｄ）  前記実施形態では、ベルト状の取付部７２により釣人Ｐの上腕部Ａに釣り情報表示装置６０を着脱自在に取り付けるようになっていたが、ベルト状の取付部７２を設けないで釣人Ｐのジャケットの上腕部Ａに袋状の本体部７１を縫製してジャケットと一体形成する構成にしてもよい。さらに、この場合には、袋状の本体部７１の内部に釣り情報表示装置６０と接続可能な接続端子（コネクタ）を設け、この接続端子と電動リール１００とを接続する接続コード（スパイラルコード）をジャケットの内部からジャケットの袖口や裾を挿通させる構成にしてもよい。
【符号の説明】
【００４５】
１  リール本体
２  ハンドル
３  スタードラグ
４  カウンタケース
５  表示部
６  操作部
７  フレーム
７ａ  第１側板
７ｂ  第２側板
８  連結部材
９ａ  第１側カバー
９ｂ  第２側カバー
１０  スプール
１１  クラッチレバー
１２  モータ
１３  速度変更レバー
３０  制御部
３１  ＰＷＭ駆動回路
４０  ブザー
４１  スプールセンサ
４２  スプールカウンタ
４３  記憶部
４４  通信部
６０  釣り情報表示装置
６１  制御部
６２  操作部
６３  表示部
６４  本体部
６５  通信部
６６  記憶部
７０  取付用具
７１  本体部
７１ａ  開口部
７１ｂ  窓部
７２  取付部
７２ａ  第１ベルト部
７２ｂ  第２ベルト部
７３  ベルト送り部
７４  係止部
７５  被係止部
９０  魚群探知機
１００  電動リール
Ａ  上腕部
Ｐ  釣人
【図１】
2011130666.tif 000003
【図２】
2011130666.tif 000004
【図３】
2011130666.tif 000005
【図４】
2011130666.tif 000006
【図５】
2011130666.tif 000007